(57)【要約】【課題】器具本体の材料取りの効率、梱包効率および輸送効率の向上と、光源の放熱効果の向上とを共に図ることができる。【解決手段】一面が長方形の角筒状の器具本体２と；この器具本体の一面における複数の角部の外側縁部上でそれぞれ突設されてセードの円形中心孔縁部を載置させたセード載置部７ａ〜７ｄと；器具本体に配設された点灯装置と；器具本体に着脱可能に取り付けられ蛍光ランプ１１，１２を着脱自在に保持したランプホルダーと；を具備している。【選択図】  図１
2004355900.tif 000002
【特許請求の範囲】
【請求項１】
一面が長方形の角筒状の器具本体と；
この器具本体の一面における複数の角部の外側縁部上でそれぞれ突設されてセードの円形中心孔縁部を載置させたセード載置部と；
器具本体に配設された点灯装置と；
器具本体に着脱可能に取り付けられ蛍光ランプを着脱自在に保持したランプホルダーと；
を具備していることを特徴とする照明器具。
【請求項２】
点灯装置に電気的に接続される一方、ランプの受電部に着脱可能に取り付けられる一対のランプソケットを、上記器具本体の互いに対向する両側辺の左右対称位置から外方へ延出するようにこの器具本体に配設したことを特徴とする請求項１記載の照明器具。
【請求項３】
一対のランプソケットが配設された上記器具本体の軸方向一端部側であって、これら一対のソケットの左右対称位置の中間部にてランプホルダーを器具本体の一端から外方へ延出するように配設する一方、これら一対のランプソケットの左右対称位置に対して上記器具本体の軸方向反対側の対称位置において、一対のランプホルダーを、この器具本体の対向両側辺の左右対称位置から外方へそれぞれ延出するように器具本体に配設したことを特徴とする請求項２記載の照明器具。
【発明の詳細な説明】
【０００１】
【発明の属する技術分野】
本発明は環形等蛍光ランプ用のペンダント形等の照明器具に関する。
【０００２】
【従来の技術】
従来、この種の環形蛍光ランプ用の照明器具としては、円柱状の器具本体（シャーシ）の直径方向で対向する両側面を平面によりカットし、これら両側面とセードの円形孔縁の間に放熱のための隙間を形成することにより放熱性の向上を図ったものが知られている（例えば、文献１参照）。
【０００３】
【特許文献１】
特開２００３−７１２９号公報（第２頁、図４）
【０００４】
【発明が解決しようとする課題】
しかしながら、このような従来の照明器具では、器具本体がほぼ円柱状または一対の円弧状部が形成されているので、この器具本体を製造する際の材料取りの効率が悪いうえに、この器具本体を四角筒状の梱包箱内に収容し梱包して輸送するので、梱包箱内の容積が嵩んで梱包箱の大形化を招き、梱包効率と輸送効率が共に低いという課題がある。
【０００５】
また、器具本体の両側面のカット平面とセードの円形孔縁との間に、放熱のための隙間を有するが、この隙間は、高温に昇温する環形蛍光ランプの電極上方や最冷部の近傍には無いので、放熱効果が不十分であるという課題もある。
【０００６】
本発明はこのような事情を考慮してなされたもので、その目的は、器具本体の材料取りの効率、梱包効率および輸送効率の向上と、光源の放熱性の向上とを共に図ることができる照明器具を提供することにある。
【０００７】
【課題を解決するための手段】
請求項１に係る照明器具は、一面が長方形の角筒状の器具本体と；この器具本体の一面における複数の角部の外側縁部上でそれぞれ突設されてセードの円形中心孔縁部を載置させたセード載置部と；器具本体に配設された点灯装置と；器具本体に着脱可能に取り付けられ蛍光ランプを着脱自在に保持したランプホルダーと；を具備していることを特徴とする。
【０００８】
なお、本請求項１において、器具本体の長方形とは、平面形状が長方形であり、相互に対向する両側辺を外方に膨出する膨出面により形成した、いわゆる小判形状を含む。
【０００９】
また、セードの外形は円形でも角形でもよいが、セードの中心孔は円形である。
【００１０】
この請求項１に係る発明によれば、器具本体の平面形状が長方形であるので、この器具本体をその素材から打ち抜きプレス加工する際の材料取りの効率が良い。
【００１１】
また、この器具本体が長方形であるので、これをほぼ同形の四角筒状の梱包箱内に収容し梱包して輸送する場合には、この器具本体を四角角状の梱包箱内に収容する際の容積効率を向上させることができる。このために、梱包箱の小形化を図ることができると共に、そのために、輸送効率も向上させることができる。
【００１２】
さらに、長方形の器具本体の角部外側縁部上に突設したセード載置部上に、セードの円形中心孔縁部を載置すると、このセードの円形中心孔と長方形の器具本体の両側辺との間に、例えば欠円形状の間隙がそれぞれ形成されるので、放熱性を向上させることができる。
【００１３】
このために、この欠円形状の隙間を、蛍光ランプの高温に昇温する電極上方や口金近傍に位置させることにより、さらに放熱性を向上させることができると共に、口金または口金と対向するバルブの中間箇所に最冷部を容易に形成することができる。
【００１４】
請求項２に係る照明器具は、点灯装置に電気的に接続される一方、ランプの受電部に着脱可能に取り付けられる一対のランプソケットを、上記器具本体の互いに対向する両側辺の左右対称位置から外方へ延出するようにこの器具本体に配設したことを特徴とする。
【００１５】
この請求項２に係る照明器具によれば、一対のランプソケットが器具本体の互いに対向する両側辺の左右対称位置から外方へそれぞれ延出するので、器具本体がコード等により天井等に吊り下げられる場合には、この器具本体の左右方向の重量バランスの均衡を容易にとることができる。このために、器具本体のコード吊り下げを容易に行なうことができる。
【００１６】
また、これら一対のソケットを、器具本体の両側辺とセードの円形中心孔との欠円形状の間隙の近傍に位置させることにより、これらソケットに装着される蛍光ランプの口金の放熱性を向上させ、口金に最冷部を形成することができる。
【００１７】
請求項３に係る照明器具は、一対のランプソケットが配設された上記器具本体の軸方向一端部側であって、これら一対のソケットの左右対称位置の中間部にてランプホルダーを器具本体の一端から外方へ延出するように配設する一方、これら一対のランプソケットの左右対称位置に対して上記器具本体の軸方向反対側の対称位置において、一対のランプホルダーを、この器具本体の両側辺の左右対称位置から外方へそれぞれ延出するように器具本体に配設したことを特徴とする。
【００１８】
なお、このランプホルダーとは１本以上の蛍光ランプの一部を着脱可能に保持するものであり、例えば帯状板ばね等からなる。
【００１９】
この請求項３に係る照明器具によれば、長方形の器具本体の軸方向（例えば前後方向）一端部にて左右方向で対向する両側辺から外方へ一対のソケットが左右対称に延出し、さらに、これら一対のソケットの左右対称位置の中間部一端からランプホルダーが外方へ延出し、さらにまた、一対のソケットに対して軸方向（前後方向）で対称位置（前後対称位置）にある器具本体の軸方向他端部側にて、一対のランプソケットを左右対称に外方へ延出させているので、コード等により天井等に吊り下げられる器具本体の左右，前後両方向の重量バランスを容易にとることができる。
【００２０】
【発明の実施の形態】
以下、本発明の実施形態を複数の添付図面に基づいて説明する。なお、これらの図面中、同一または相当部分には同一符号を付し、特に説明が必要に場合を除き、その重複した詳細な説明は省略する。
【００２１】
図１は本発明の第１実施形態に係る照明器具１の平面図、図２はその底面図、図３は図１の要部拡大図、図４は図２の要部拡大図、図５は照明器具１の一部切欠正面図である。
【００２２】
これらの図１〜図５に示すように、照明器具１は平面形状が、例えば図１〜図４中、縦長長方形の有蓋扁平角筒状の器具本体２と、この器具本体２の図５中下面開口端部に装着されて、その下面開口を閉じる有底扁平角筒状の反射板３と、を備えている。
【００２３】
また、図５に示すように、この反射板３と器具本体２とにより閉じた空間内に、点灯装置の一例であるインバータ等の点灯回路基板４を内蔵し、この点灯回路基板４に内端が電気的に接続されたコード５の外端部を、器具本体２の上面（蓋部）の図示しない中心孔と、円錐台状のコードカバー６の平坦頂部６ａの中心孔とをそれぞれ挿通させて図５中上方に延出させて、例えば引掛けシーリングのコネクタ等に電気的に接続するように構成されており、室内の天井等に吊り下げるように固定している。
【００２４】
コードカバー６は、その平坦頂部６ａの中心孔回りに、小さい複数の放熱孔６ｂを周方向に所定ピッチで穿設している。
【００２５】
器具本体２は、その上面（蓋部）の四角形の各角部をそれぞれ面取りした面取り部２ａをそれぞれ形成して、例えば８角形等の多角形に形成され、その開口端部（図５では下端部）には、その多角形とほぼ同形の外向フランジ７を一体に連成している。反射板３も、その開口端部に、図４に示すように外向フランジ３ａを一体に連成しており、この外向フランジ３ａの外形は器具本体２の外向フランジ７の外形と同形に形成され、上下方向で重ね合せられるように構成されている。
【００２６】
図１，図３に示すように器具本体２の外向フランジ７は、その各角部上に、セード載置部７ａ，７ｂ，７ｃ，７ｄをそれぞれ形成すると共に、これらセード載置部７ａ〜７ｄ中、図１，図３中上部に位置する左右一対のセード載置部７ａ，７ｄ間の中間部にて、外方に突の円弧状突部７ｆを外向フランジ７に一体に連成し、この円弧状突部７ｆの突出先端部上にもセード載置部７ｅをそれぞれ形成している。
【００２７】
各セード載置部７ａ〜７ｅは、その各形成位置において、外向上フランジ７に、所定の間隔を置いた平行２線ａ，ｂの切込みをそれぞれ入れ、これら平行２線ａ，ｂの中間部ｃを図３中紙面裏面側から表面側へほぼ円弧状に突出させることによりそれぞれ形成されており、図３中一点鎖線で示すセード８の中心孔である円形孔８ａの内周縁部を単に載置させることにより、各セード載置部７ａ〜７ｅの例えば５箇所にてセード８の内面を点状で支持するようになっている。
【００２８】
また、セード載置部７ａ〜７ｅは器具本体２の上面より上方へ突出しているので、例えば点灯回路基板４を器具本体２にねじ止めする取付ねじやボルト・ナット等の先端部や頭部が器具本体２の上面上に突出しても、これら取付ねじ等の先端部や頭部がセード８の内面に当接して浮かせるように干渉するのを防止することができるうえに、器具本体２の上面上とセード８の内面との間に間隙を形成することができるので、この間隙による放熱性を向上させることができる。
【００２９】
さらに、セード８は、その円形中心孔８ａの内周端面を器具本体２の各面取り部２ａの外周面に当接させてセード８が器具本体２の上面上で直径方向にずれるのを防止するようになっている。また、図１，図２で示すように器具本体２の左右一対の長辺部７ｇ，７ｈの外側面とセード８の円形中心孔８ａとの間には、欠円形状の左右一対の放熱用間隙８ｂ，８ｂが形成される。
【００３０】
そして、図３，図４に示すように器具本体２は、その反射板３の外向フランジ３ａの短辺方向（図３では左右方向）で相互に対向する左右一対の長辺側縁部７ｇ，７ｈの左右対称位置から外方へ、左右一対のソケット９，１０を延出させており、左右の重量バランスの均衡を図っている。
【００３１】
図２に示すように、これらソケット９，１０は、例えば内，外環形蛍光ランプ１１，１２の各口金１１ａ，１２ａにそれぞれ突設された図示しない４本の受電ピンを嵌入させて電気的にかつ機械的に着脱可能に接続するように構成されており、各リード線１３，１４にそれぞれ接続されている。
【００３２】
各リード線１３，１４の内端部は反射板３の外向フランジ３ａの短辺方向で対向し、図中左右対称位置で開口されたコード出口１３ａ，１４ａを経て点灯回路基板４の図示しない出力端子に電気的に接続されている。
【００３３】
また、図４に示すように反射板３の外向フランジ３ａは、その図中上端部であって、左右一対のソケット９，１０のコード出口１３ａ，１４ａの中間部にてランプホルダー１５を固定する一方、図４中下端部の左右一対の面取り部２ａ，２ａに対応する裏面部にて左右一対のランプホルダー１６，１７をそれぞれ固定している。
【００３４】
図５に示すように、これらランプホルダー１５〜１７は例えば帯状板ばねからなり、その自由先端部には、内側環形バルブ１１と、これより大径の外側環形バルブ１２の軸方向一部にて、それぞれ小周方向にそれぞれ約半周程巻回して着脱可能に保持する第１，第２のランプ保持部１５ａ，１６ａ，１７ａ、１５ｂ，１６ｂ，１７ｂをそれぞれ一体に湾曲連成している。
【００３５】
図４に示すように各ランプホルダー１５，１６，１７の各固定端部１５ｃ，１６ｃ，１７ｃは取付ねじ１８の締付けにより、器具本体２と反射板３の両外向フランジ２ａ，３ａに固定されている。
【００３６】
各ランプホルダー１５，１６，１７の各固定端部１５ｃ，１６ｃ，１７ｃの左右両側面には、反射板３の外向フランジ３ａ側へ突出して当接する左右一対の切欠起し片１９ａ，１９ｂをそれぞれ一体に突設しており、各ランプホルダー１５，１６，１７の自由端部が取付ねじ１８回りに回動するのを阻止するようになっている。
【００３７】
各ランプホルダー１５〜１７の各固定端部１５ｃ〜１７ｃの先端部には、これらランプホルダー１５〜１７の塗装時に固定するための図示しない小円孔が穿設されているが、この小円孔先端部は反射板３の外向フランジ３ａの図示しない挿入用切込みから内方へ挿入され、反射板３の外向フランジ３ａと器具本体２の外向フランジ２ａとの間に介在されて固定され、塗装用小円孔を隠蔽して美観の向上を図っている。なお、図２，図４中、符号Ｓは反射板３の中央部に形成された楕円状の凹部Ｒにて配設された小電球である。
【００３８】
したがって、この照明器具１によれば、器具本体２が長方形角筒状であるので、この器具本体２を打ち抜きプレス加工する際の材料取りの効率が良い。
【００３９】
さらに、長方形の器具本体２の角部外側縁部上に突設したセード載置部７ａ〜７ｅ上に、セード８の円形中心孔８ａ内縁部を載置すると、このセード円形中心孔８ａと長方形の器具本体２の両側辺７ｇ，７ｈの外側面との間に、例えば欠円形状の間隙８ｂがそれぞれ形成されるので、放熱性を向上させることができる。
【００４０】
また、図２に示すように、この欠円形状の隙間８ｂを、蛍光ランプ１１，１２の高温に昇温する電極を内蔵する口金１１ａ，１２ａまたはその近傍に位置させているので、さらに放熱性を向上させることができると共に、口金１１ａ，１２ａまたは口金と対向するバルブの中間箇所に最冷部を形成することができる。
【００４１】
しかも、口金１１ａ，１２ａに最冷部が形成される場合には、この口金１１ａ，１２ａにより被覆される蛍光ランプ１１，１２の一対の電極封止端部内の電極のマウント高さを高くする、いわゆるハイマウントに構成する必要もないので、その分、放熱路長を長くすることができ、明るさを向上させることができる。
【００４２】
そして、一対のランプソケット１１ａ，１２ａが器具本体２の互いに対向する両側長辺７ｇ，７ｈの左右対称位置から外方へそれぞれ延出するので、器具本体２がコード等により天井等に吊り下げられる場合には、この器具本体２の左右方向の重量バランスの均衡を容易にとることができる。このために、器具本体２のコード吊り下げも容易に行なうことができる。
【００４３】
また、環形蛍光ランプ１１，１２の各ソケット９，１０を、器具本体２の両側長辺７ｇ，７ｈとセード８の円形中心孔８ａとの欠円形状の各間隙８ｂの近傍に延出させたので、これらソケット９，１０に装着される蛍光ランプ１１，１２の口金１１ａ，１２ａの放熱性を向上させ、口金１１ａ，１２ａまたは口金と対向するバルブの中間箇所に最冷部を形成することができる。
【００４４】
そして、この照明器具１によれば、長方形筒状の器具本体２の軸方向（例えば前後方向）一端部にて左右方向で対向する両側辺７ｇ，７ｈから外方へ一対のソケット９，１０が左右対称に延出し、さらに、これら一対のソケット９，１０の中間部一端の円弧状突部７ｆからランプホルダー１５が外方へ延出し、さらにまた、一対のソケット９，１０に対して軸方向（前後方向）で対称位置にある器具本体の軸方向他端部側にて一対のランプホルダー１６，１７を左右対称に外方へ延出させているので、コード５等により天井等に吊り下げられる器具本体２の左右，前後両方向の重量バランスを容易にとることができる。
【００４５】
図６はその（Ａ）で示すように上記長方形の器具本体２とその反射板３とを一対として陸上や海上運送等により輸送する場合の梱包方法を示し、図６（Ｂ）で示す円形の器具本体１８とその円形反射板１９とを一対として梱包する場合とを比較して示している。なお、これら長方形，円形器具本体２，１８には、その内部に点灯回路基板４を既に取り付けているが、コードカバー６、コード５を含むコード類、ランプホルダー１５〜１７は取り外して別の梱包箱で梱包される。
【００４６】
すなわち、図６（Ｂ）に示すように円形器具本体１８とその円形反射板１９を梱包する場合は、この円形器具本体１８とその円形反射板１９とを上下（図６では紙面の表裏方向）に重ねて一対を形成し、その２対を間仕切り２１を介して、例えば長方形の段ボール製梱包箱２０内に左右に並べて収容し、梱包箱２０の内面および間仕切り２１と、円形器具本体１８および円形反射板１９の外周との間隙に図示しない緩衝材を充填している。
【００４７】
一方、図６（Ａ）に示すように長方形の器具本体２の場合は、この長方形器具本体２と円形反射板３とを上下方向（図６（Ａ）では紙面の表裏方向）に重ねて一対とし、その２対を長方形の段ボール製梱包箱２２内に、間仕切り２３を介して左右に並べて収容し、梱包箱２２の内面及び間仕切り２３と、長方形器具本体２及びその反射板３の外周との間隙に図示しない緩衝材を充填している。
【００４８】
したがって、平面形状が長方形の器具本体２及び反射板３を梱包する梱包箱２２の長手方向の長さＬ１は、これら長方形の器具本体２の長手方向長さと円形器具本体１８の直径とが等しい場合には、円形器具本体１８用の梱包箱２０の長手方向の長さＬ２とほぼ等しい（Ｌ１＝Ｌ２）。
【００４９】
しかし、長方形の器具本体２の短辺の長さは、その長手方向の長さとほぼ等しい円形器具本体１８の直径よりも短いので、長方形器具本体２梱包用の梱包箱２２の短手方向の長さの幅Ｗ１は、円形器具本体１８梱包用の梱包箱２０の幅Ｗ２よりも短かくなる（Ｗ１＜Ｗ２）。
【００５０】
したがって、長方形器具本体２用の梱包箱２２は、その内面形状が長方形器具本体２の外形に対応して長方形であるので、円形器具本体１８を収容する場合よりも収容効率を向上させることができる。また、長方形器具本体２用の梱包箱２２は、その幅Ｗ１を円形器具本体Ｗ１を円形器具本体１８用の梱包箱２０の幅Ｗ２よりも短いので、その分、円形器具本体１８の梱包箱２０よりも小形化を図ることができ、その結果、陸運や海運の輸送効率も向上させることができる。
【００５１】
【発明の効果】
以上説明したように請求項１に係る発明は、器具本体の平面形状が長方形であるので、この器具本体をその素材から打ち抜きプレス加工する際の材料取りの効率が良い。
【００５２】
また、この器具本体が長方形であるので、これをほぼ同形の四角筒状の梱包箱内に収容し梱包して輸送する場合には、この器具本体を四角角状の梱包箱内に収容する際の容積効率を向上させることができる。このために、梱包箱の小形化を図ることができると共に、そのために輸送効率も向上させることができる。
【００５３】
さらに、長方形の器具本体の角部外側縁部上に突設したセード載置部上に、セードの円形中心孔縁部を載置すると、このセード円形中心孔と長方形の器具本体の両側辺との間に、例えば欠円形状の間隙がそれぞれ形成されるので、放熱性を向上させることができる。
【００５４】
このために、この欠円形状の隙間を、蛍光ランプの高温に昇温する電極上方や口金近傍に位置させることにより、さらに放熱性を向上させることができると共に、口金または口金と対向するバルブの中間箇所に最冷部を容易に形成することができる。
【００５５】
請求項２に係る照明器具によれば、一対のランプソケットが器具本体の互いに対向する両側辺の左右対称位置から外方へそれぞれ延出するので、器具本体がコード等により天井等に吊り下げられる場合には、この器具本体の左右方向の重量バランスの均衡を容易にとることができる。このために、器具本体のコード吊り下げを容易に行なうことができる。
【００５６】
また、これら一対のソケットを、器具本体の両側辺とセードの円形中心孔との欠円形状の間隙の近傍に位置させることにより、これらソケットに装着される蛍光ランプの口金の放熱性を向上させ、口金に最冷部を形成することができる。
【００５７】
請求項３に係る照明器具によれば、長方形の器具本体の軸方向（例えば前後方向）一端部にて左右方向で対向する両側辺から外方へ一対のソケットが左右対称に延出し、さらに、これら一対のソケットの左右対称位置の中間部一端からランプホルダーが外方へ延出し、さらにまた、一対のソケットに対して軸方向（前後方向）で対称位置（前後対称位置）にある器具本体の軸方向他端部側にて、一対のランプソケットを左右対称に外方へ延出させているので、コード等により天井等に吊り下げられる器具本体の左右，前後両方向の重量バランスを容易にとることができる。
【図面の簡単な説明】
【図１】本発明の第１の実施形態に係る照明器具の器具本体の平面図。
【図２】図１で示す器具本体を備えた照明器具の底面図。
【図３】図１で示す器具本体にランプホルダーを取り付け、ソケットを外方へ延出させた状態の拡大平面図。
【図４】図３で示す器具本体の底面図。
【図５】図１で示す器具本体の一部切欠正面図。
【図６】（Ａ）は図１等で示す２つの長方形器具本体を梱包箱内に収容した状態を示す平面図、（Ｂ）は従来の円形器具本体を梱包箱内に収容した状態を示す平面図。
【符号の説明】
１…照明器具、２…器具本体、３…反射板、４…点灯回路基板、７…器具本体の外向フランジ、７ａ，７ｂ，７ｃ，７ｄ…セード載置部、８…セード、８ａ…セードの円形中心孔、８ｂ…放熱用の間隙、９，１０…ソケット、１１，１２…環形蛍光ランプ、１１ａ，１２ａ…環形蛍光ランプの口金、１５，１６，１７…ランプホルダー、１８…円形器具本体、２０…円形器具用梱包箱、２２…長方形器具用梱包箱。
【図１】
2004355900.tif 000003
【図２】
2004355900.tif 000004
【図３】
2004355900.tif 000005
【図４】
2004355900.tif 000006
【図５】
2004355900.tif 000007
【図６】
2004355900.tif 000008